(57)【特許請求の範囲】
【請求項１】
音声を音声データ信号に変換するための第１の変換手段と、
前記第１の変換手段に接続された入力を有し、前記第１の変換手段の出力する音声データ信号を他局に送信する処理と、前記他局から送信される音声データ信号を受信して出力する処理とを行なうための通信手段と、
音声データ信号を音声に変換するための第２の変換手段と、
音声データ信号を記憶するための記憶手段と、
前記第１の変換手段の出力および前記通信手段の出力を受けるように接続され、前記第１の変換手段から出力される音声データ信号に含まれる音声データおよび前記通信手段の出力する音声データ信号に含まれる音声データのそれぞれの存在および不存在の組み合わせに対して予め設定された選択方法にしたがって、前記第１の変換手段の出力する音声データ信号および前記通信手段が受信して出力する音声データ信号のいずれか一方を選択的に前記記憶手段に記憶させるための第１の選択手段とを含む電話装置。
【請求項２】
所定の選択信号を出力するための選択信号出力手段と、
前記通信手段の出力および前記記憶手段の出力に接続され、前記選択信号に応答して、前記通信手段が受信して出力する音声データ信号および前記記憶手段から読出される音声データ信号のいずれか一方を選択して前記第２の変換手段に与えるための第２の選択手段とをさらに含む、請求項１に記載の電話装置。
【請求項３】
前記通信手段の出力および前記記憶手段の出力に接続され、前記選択信号に応答して、前記通信手段が受信して出力する音声データ信号および前記記憶手段から読出される音声データ信号のいずれか一方を選択して前記通信手段に与えて他局に送信させるための第３の選択手段をさらに含む、請求項２に記載の電話装置。
【請求項４】
所定の選択信号を出力するための選択信号出力手段と、
前記通信手段の出力および前記記憶手段の出力に接続され、前記選択信号に応答して、前記通信手段が受信して出力する音声データ信号および前記記憶手段から読出される音声データ信号のいずれか一方を選択して前記通信手段に与えて他局に送信させるための第２の選択手段とをさらに含む、請求項１に記載の電話装置。
【請求項５】
前記選択信号出力手段は、前記記憶手段の出力に接続され、前記記憶手段から読出される音声データ信号に含まれる音声データの存在および不存在に応じて前記所定の選択信号を出力するための手段を含む、請求項２から４のいずれかに記載の電話装置。
【請求項６】
前記第２の変換手段は、与えられる音声データ信号を、前記与えられる音声データ信号のチャネルごとに定められるパラメータにしたがって復号化するための復号化手段と、
前記復号化手段の出力する復号化された音声データ信号を音声に変換するスピーカとを含み、
前記電話装置は、前記第１の選択手段により選択された音声データ信号が切換えられたことに応答して、前記記憶手段に音声データ信号の切換えをあらわす切換情報を記憶させるための手段と、
前記記憶手段から読出された音声データ信号中の前記切換情報を検出して、前記復号化手段に対して前記パラメータの切換を示す信号を与えるための手段とをさらに含む、請求項１に記載の電話装置。
【発明の詳細な説明】
【０００１】
【発明の属する技術分野】
本発明は、電話装置に関し、特に、音声データ信号を記録できる、消費電力の少ない電話装置に関する。
【０００２】
【従来の技術】
最近の携帯電話は、デジタルデータにより無線通信を行なうものが普及している。デジタル方式の携帯電話は、音声データに高い圧縮率の符号化処理を施してビットレートを落とし、通話チャネルの帯域幅を狭くし、回線数を上げることができる利点がある。この符号化処理については、符号化する際に符号化パラメータを記録しておき、復号化する際にその符号化パラメータを用いて復号する。
【０００３】
このような携帯電話において、待受け時に自分の音声を記録したり、通話時に自分および相手の少なくともいずれか一方の音声を記録するいわゆるメモ機能を備えるものがある。このメモ機能を用いて、待受け時に記録音声を再生する場合には、符号化パラメータをスピーチデコーダに供給し、記録音声を復号して聞くことができる。また、通話時に相手から送られてきた受信音声を聞きながら、記録音声を復号して聞くことができる携帯電話が特開平９−１３９９７８号公報に開示されている。
【０００４】
この公報に開示された携帯電話は、入力された音声信号を符号化する符号化回路と、符号化回路からの出力信号を送信する送信回路と、相手側から受信した信号を受信する受信回路と、受信回路からの出力信号および符号化回路からの出力信号の少なくともいずれか一方を記憶する記憶回路と、受信回路からの出力信号に復号化を行なって音声信号を出力する第１の復号化回路と、記憶回路からの出力信号に復号化を行なって音声信号を出力する第２の復号化回路と、送受信中に第１および第２の復号化回路により受信回路からの出力信号および記憶回路からの出力信号にそれぞれ復号化を行なわせる制御回路とを含む。
【０００５】
この携帯電話によると、２つの復号化回路を設け、第１の復号化回路により受信回路からの出力信号を復号化して受信音声を出力して、第２の復号化回路により記録回路からの出力信号を復号化して記録音声を出力することにより、通話中に通話相手の音声と、メモ機能により録音された音声とを同時に聞くことができる。また、この携帯電話は、入力された音声信号および相手側から受信した音声信号の両方を重畳させて記録するか、予めいずれか定められた一方のみの音声を記録することができる。
【０００６】
【発明が解決しようとする課題】
しかしながら、前述の公報に開示された携帯電話では、復号化回路を２つ有することにより回路規模が大きくなり、これに伴い消費電力も大きくなる。また、入力された音声信号と受信した音声信号とを重畳させて記憶したのでは再生時に聞取りが困難である。いずれか一方のみを記録するのでは、会話内容の把握が困難である。
【０００７】
本発明は、上述の課題を解決するためになされたものであって、回路規模が小さく、消費電力の少ない、再生時に会話内容を把握しやすいように音声データ信号を記録したり、記録した音声データ信号を通話中に再生したり、送信したりできる電話装置を提供することである。
【０００８】
【課題を解決するための手段】
第１の発明に係る電話装置は、音声を音声データ信号に変換するための第１の変換手段と、第１の変換手段に接続された入力を有し、第１の変換手段の出力する音声データ信号を他局に送信する処理と、他局から送信される音声データ信号を受信して出力する処理とを行なうための通信手段と、音声データ信号を音声に変換するための第２の変換手段と、音声データ信号を記憶するための記憶手段と、第１の変換手段の出力および通信手段の出力を受けるように接続され、第１の変換手段から出力される音声データ信号に含まれる音声データおよび通信手段の出力する音声データ信号に含まれる音声データのそれぞれの存在および不存在の組み合わせに対して予め設定された選択方法にしたがって、第１の変換手段の出力する音声データ信号および通信手段が受信して出力する音声データ信号のいずれか一方を選択的に記憶手段に記憶させるための第１の選択手段とを含む。
【０００９】
第１の発明によると、第１の変換手段は、音声を音声データ信号に変換し、通信手段は、他局から送信される音声データ信号を受信して出力する。第１の選択手段は、第１の変換手段から出力される音声データ信号に含まれる音声データおよび通信手段の出力する音声データ信号に含まれる音声データのそれぞれの存在および不存在の組み合わせに対して予め設定された選択方法にしたがって、第１の変換手段の出力する音声データ信号および通信手段が受信して出力する音声データ信号のいずれか一方を選択的に記憶手段に記憶させる。これにより、記憶手段には、音声データ信号に音声データが存在する、第１の変換手段から出力される音声データ信号および通信手段の出力する音声データ信号のいずれか一方が記録される。電話装置においては通話者双方が発言することは少ないため、いずれか一方の音声を記録しておけば再生時に会話内容を把握することができる。その結果、記録チャネルが１チャネルでよいため回路規模が小さく、消費電力の少ない、再生時に会話内容を把握しやすいように音声データ信号を記録することができる電話装置を提供できる。
【００１０】
第２の発明に係る電話装置は、第１の発明の構成に加えて、所定の選択信号を出力するための選択信号出力手段と、通信手段の出力および記憶手段の出力に接続され、選択信号に応答して、通信手段が受信して出力する音声データ信号および記憶手段から読出される音声データ信号のいずれか一方を選択して第２の変換手段に与えるための第２の選択手段とをさらに含む。
【００１１】
第２の発明によると、第２の選択手段は、選択信号出力手段が出力した選択信号に応答して、通信手段が受信して出力する音声データ信号および記憶手段から読出される音声データ信号のいずれか一方を選択して第２の変換手段に与える。これにより、選択信号に基づいて、通信手段が受信した音声データ信号に基づく音声および記録手段から読出される音声データ信号に基づく音声のいずれか一方が第２の変換手段により音声に変換される。このため、たとえば、音声データ信号が圧縮符号化されている場合、音声データ信号を復号化処理する回路が１チャネル分でよい。その結果、回路規模が小さく、消費電力の少ない、記録した音声データ信号を通話中に再生することができる電話装置を提供できる。
【００１２】
第３の発明に係る電話装置は、第２の発明の構成に加えて、通信手段の出力および記憶手段の出力に接続され、選択信号に応答して、通信手段が受信して出力する音声データ信号および記憶手段から読出される音声データ信号のいずれか一方を選択して通信手段に与えて他局に送信させるための第３の選択手段をさらに含む。
【００１３】
第３の発明によると、第３の選択手段は、選択信号に応答して、通信手段が受信して出力する音声データ信号および記憶手段から読出される音声データ信号のいずれか一方を選択して通信手段に与えて他局に送信させる。これにより、選択信号に基づいて、通信手段が受信した音声データ信号に基づく音声および記録手段から読出される音声データ信号に基づく音声のいずれか一方を通信手段により他局へ送信できる。その結果、記録した音声データ信号を通話中に他局へ送信することができる電話装置を提供できる。
【００１４】
第４の発明に係る電話装置は、第１の発明の構成に加えて、所定の選択信号を出力するための選択信号出力手段と、通信手段の出力および記憶手段の出力に接続され、選択信号に応答して、通信手段が受信して出力する音声データ信号および記憶手段から読出される音声データ信号のいずれか一方を選択して通信手段に与えて他局に送信させるための第２の選択手段とをさらに含む。
【００１５】
第４の発明によると、第２の選択手段は、選択信号出力手段が出力した選択信号に応答して、通信手段が受信して出力する音声データ信号および記憶手段から読出される音声データ信号のいずれか一方を選択して通信手段に与えて他局に送信させる。これにより、選択信号に基づいて、通信手段が受信した音声データ信号に基づく音声および記録手段から読出される音声データ信号に基づく音声のいずれか一方が通信手段により他局へ送信できる。このとき記録手段から読出される音声データ信号は、第１の変換手段から出力される音声データ信号および通信手段の出力する音声データ信号のいずれか一方である。その結果、記録した音声データ信号を通話中に他局へ送信することができる電話装置を提供できる。
【００１６】
第５の発明に係る電話装置は、第２から４のいずれかの発明の構成に加えて、選択信号出力手段は、記憶手段の出力に接続され、記憶手段から読出される音声データ信号に含まれる音声データの存在および不存在に応じて所定の選択信号を出力するための手段を含む。
【００１７】
第５の発明によると、選択信号出力手段は、記憶手段から読出される音声データ信号に含まれる音声データの存在および不存在に応じて所定の選択信号を出力する。これにより、記憶手段に音声データが記憶されていると、記憶手段に記憶された音声データ信号を、第２の変換手段や通信手段に出力する。その結果、記録した音声データ信号を通話中に再生したり、送信したりできる電話装置を提供できる。
【００１８】
第６の発明に係る電話装置は、第１の発明の構成に加えて、第２の変換手段は、与えられる音声データ信号を、与えられる音声データ信号のチャネルごとに定められるパラメータにしたがって復号化するための復号化手段と、復号化手段の出力する復号化された音声データ信号を音声に変換するスピーカとを含み、電話装置は、第１の選択手段により選択された音声データ信号が切換えられたことに応答して、記憶手段に音声データ信号の切換えをあらわす切換情報を記憶させるための手段と、記憶手段から読出された音声データ信号中の切換情報を検出して、復号化手段に対してパラメータの切換を示す信号を与えるための手段とをさらに含む。
【００１９】
第６の発明によると、復号化手段は、与えられる音声データ信号を、与えられる音声データ信号のチャネルごとに定められるパラメータにしたがって復号化する。電話装置は、第１の選択手段により選択された音声データ信号が切換えられたことに応答して、記憶手段に音声データ信号の切換えをあらわす切換情報を記憶させて、記憶手段から読出された音声データ信号中の切換情報を検出して、復号化手段に対してパラメータの切換を示す信号を与える。これにより、音声データ信号が圧縮符号化されている場合、１チャネル分の復号化手段を準備して、記憶する音声データ信号のチャネルが切換わったことに応答して、復号化手段のパラメータを切換えることができる。その結果、回路規模が小さく、消費電力の少ない、記録した音声データ信号を通話中に再生することができる電話装置を提供できる。
【００２０】
【発明の実施の形態】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２１】
なお、以下の説明では携帯電話を例にして説明するが、本発明は携帯電話に限定されるものではない。
【００２２】
＜実施の形態１＞
図１を参照して、本実施の形態に係る携帯電話１００は、音声を音声データ信号に変換するための送信音声処理部１１０と、音声データ信号を音声に変換するための受信音声処理部１２０と、送信切換部１３０を介して送信音声処理部１１０に接続され、音声データ信号をベースバンド信号により変調して無線信号に変換するＲＦ（Radio Frequency）送信処理部１４０と、この携帯電話１００の全体を制御する制御部１７０を介して受信音声処理部１２０に接続され、受信した無線信号を復調して音声データ信号に変換するＲＦ受信処理部１５０と、ＲＦ送信処理部１４０とＲＦ受信処理部１５０とに接続され、他局と無線通信するためのアンテナ１６０とを含む。
【００２３】
送信音声処理部１１０は、この携帯電話１００の使用者の音声を音声データに変換するマイク１１２と、マイク１１２に接続され、マイク１１２から出力された音声データ信号をアナログ信号からデジタル信号に変換するＡ／Ｄ（Analog／Digital）変換器１１４と、Ａ／Ｄ変換器１１４に接続され、デジタル化された音声データ信号を圧縮符号化するスピーチエンコーダ１１６とを含む。なお、スピーチエンコーダ１１６は、送信切換部１３０に接続されている。
【００２４】
受信音声処理部１２０は、制御部１７０に接続され、ＲＦ受信処理部１５０を介して受信した音声データ信号を復号化するスピーチデコーダ１２６と、スピーチデコーダ１２６に接続され、復号化された音声データ信号をデジタル信号からアナログ信号へ変換するＤ／Ａ（Digital／Analog）変換器１２４と、Ｄ／Ａ変換器１２４に接続され、アナログ処理された音声データ信号を音声に変換して出力するスピーカ１２２とを含む。
【００２５】
送信切換部１３０は、入力された送信切換信号に基づいて、スピーチエンコーダ１１６から出力された音声データ信号および制御部１７０から出力された音声データ信号のいずれか一方を選択して、ＲＦ送信処理部１４０に送信する。
【００２６】
図１および図２を参照して、制御部１７０について詳細に説明する。
制御部１７０は、入力された再生切換信号に基づいて、ＲＦ受信処理部１５０から出力された受信音声データ信号およびメモリ２００から読出された記録音声データ信号のいずれか一方を、送信切換部１３０およびスピーチデコーダ１２６の両方に出力する再生制御部１８０と、スピーチエンコーダ１１６から出力された音声データ信号および再生切換部１８２から出力された音声データ信号のいずれか一方をメモリ２００に送信する記録制御部１９０と、再生制御部１８０と記録制御部１９０とに接続され、送信音声データ信号および受信音声データ信号のいずれか一方を記録するメモリ２００とを含む。また、再生制御部１８０は、メモリ２００に記録された記録音声データ信号の内容に基づいて、スピーチデコーダ１２６に初期化信号を送信する。
【００２７】
再生制御部１８０は、ＲＦ受信処理部１５０に接続され、再生切換信号に基づいて入力された音声データ信号を所定の回路に出力する再生切換部１８２と、メモリ２００に接続され、メモリ２００に記憶された音声データ信号を読出すメモリ読出し部１８６と、メモリ読出し部１８６に接続され、メモリ２００に記録された音声データ信号からラベルを検出するラベル検出部１８４とを含む。ラベル検出部１８４は、メモリ読出し部１８６により読出された音声データ信号の中にラベルを検出すると初期化信号をスピーチデコーダ１２６に送信する。なお、再生切換部１８２は、前述の説明のとおり、再生切換信号に基づいて、ＲＦ受信処理部１５０から出力された受信音声データ信号およびメモリ読出し部１８６を介してメモリ２００から読出された記録音声データ信号のいずれか一方を、スピーチデコーダ１２６および送信切換部１３０のいずれか一方に送信する。
【００２８】
記録制御部１９０は、スピーチエンコーダ１１６に接続され、スピーチエンコーダ１１６から出力された送信音声データ信号の中の音声を検出する送信音声検出部１９２と、送信音声検出部１９２に接続され、メモリの記録チャネルを選択する記録チャネル選択部１９４と、記録チャネル選択部１９４とスピーチエンコーダ１１６および再生切換部１８２とに接続され、音声データ信号を記録切換信号に基づいて切換える記録切換部１９６とを含む。なお、記録切換部１９６は、メモリ２００に接続される。記録切換部１９６は、記録チャネル選択部１９４から出力された記録切換信号に基づいて、送信音声データ信号および受信音声データ信号のいずれか一方を、メモリ２００に送信する。
【００２９】
図３を参照して、送信切換部１３０における入力信号と出力信号について説明する。送信切換部１３０においては、入力された送信切換信号に基づいて、２つの状態が実現される。
【００３０】
状態Ａでは、スピーチエンコーダ１１６から入力された送信音声データ信号をＲＦ送信処理部１４０に出力する。この場合、マイク１１２から入力された音声がＲＦ送信処理部１４０を介して他局に送信される。このときの動作モードを、通常通話モード（送話）という。
【００３１】
状態Ｂでは、再生切換部１８２から入力された受信音声データ信号および記録音声データ信号のいずれか一方が、ＲＦ送信処理部１４０に送信される。この場合、受信音声または記録音声がＲＦ送信処理部１４０を介して他局に送信される。このときの動作モードを、再生切換部１８２から受信音声データ信号を受信した場合には、いたずら電話撃退モード、再生切換部１８２から、記録音声データ信号を受信した場合には、録音内容送信モードという。
【００３２】
図４を参照して、再生切換部１８２においては、入力された再生切換信号に基づいて、以下の４つの状態が実現される。
【００３３】
状態Ａでは、ＲＦ受信処理部１５０から入力された受信音声データ信号が、スピーチデコーダ１２０に出力される。この場合、ＲＦ受信処理部１５０を介して受信した受信音声データ信号が、スピーチデコーダ１２６により復号化され、スピーカ１２２から音声が出力される。このときの動作モードを通常通話モード（受話）という。
【００３４】
状態Ｂでは、ＲＦ受信処理部１５０から入力された受信音声データ信号が、送信切換部１３０に出力される。この場合、ＲＦ受信処理部１５０を介して受信した受信音声データ信号が、ＲＦ送信処理部１４０を介して他局に送信される。このときの動作モードをいたずら電話撃退モードという。
【００３５】
状態Ｃでは、メモリ読出し部１８６から出力された記録音声データ信号が、送信切換部１３０に出力される。この場合、メモリ２００に記録された記録音声データ信号が、ＲＦ送信処理部１４０を介して他局に送信される。このときの動作モードを録音内容送信モードという。
【００３６】
状態Ｄでは、メモリ読出し部１８６から出力された記録音声データ信号が、スピーチデコーダ１２６に出力される。この場合、メモリ２００から読み出された記録音声データ信号が、スピーチデコーダ１２６により復号化され、スピーカ１２２から音声が出力される。このときの動作モードを、録音内容聞取りモードという。
【００３７】
図５を参照して、記録切換部１９６においては、記録チャネル選択部１９４から入力した記録切換信号に基づいて、以下の２つの状態が実現される。
【００３８】
状態Ａでは、スピーチエンコーダ１１６から出力された送信音声データ信号が、メモリ２００に出力される。この場合、マイク１１２から入力された音声データ信号がメモリ２００に記録される。このときの動作モードを音声記録モード（自分）という。
【００３９】
状態Ｂでは、再生切換部１８２から入力された受信音声データ信号がメモリ２００に出力される。この場合、ＲＦ受信処理部１５０を介して受信した受信音声データ信号が、メモリ２００に記録される。このときの動作モードを、音声記録モード（相手）という。
【００４０】
この音声記録モード（自分）と音声記録モード（相手）とは、後述する方法により生成される記録切換信号に基づいて自動的に切換えられる。また、記録切換部１９６における状態Ｂでは、再生切換部１８２からの出力が記録音声データ信号の場合、再生切換部１８２からの入力信号を無視する処理を行なう。これは、メモリ読出し部１８６がメモリ２００から読出した記録音声データ信号を再度メモリ２００に記録することを避けるためである。
【００４１】
図６を参照して、メモリ２００における音声データ信号の記録状態を説明する。図６は、メモリ２００における音声データ信号の記録状態を模式的に示した図である。Ｘチャネルとして受信音声信号データが、Ｙチャネルとして送信音声データ信号が記録切換部１９６に入力される。すなわち、Ｘチャネルには、再生切換部１８２を介してＲＦ受信処理部１５０を介して受信した受信音声データ信号が入力され、Ｙチャネルには、スピーチエンコーダ１１６から出力された送信音声データ信号が入力される。ＸチャネルとＹチャネルの信号は、記録チャネル選択部１９４から出力された記録切換信号により、いずれか一方のチャネルがメモリ２００に記録されるように選択的に切換えられる。
【００４２】
このようにして、図６に示すように、送信音声データ信号が入力されるＹチャネルにおいて、音声データを検知すると記録境界ラベルをメモリ２００に記録し、音声データを検知している状態から、非検知状態になると、記録境界ラベルをメモリ２００に記録する。この結果、送信音声データ信号が入力されるＹチャネルにおいて、音声データを検知している状態から音声データを検知しなくなると、および、音声データを検知していない状態から音声データを検知すると、それぞれ記録境界ラベルがメモリ２００に記録される。また、記録境界ラベルとともに記録される音声データは、１フレーム分ごとの符号化データである。また、符号化データには、音声パワー、その他のパラメータが含まれる。なお、１フレーム分の音声データは、音声符号化方式の種類によって異なるが、復号化すると概ね１０〜４０ｍｓｅｃの音声に相当する。スピーチデコーダ１２６においては、初期化信号を受信するとスピーチデコーダ１２６のフィルタ状態等の内部変数や、出力バッファを初期化する。
【００４３】
また、この携帯電話１００は、相手先の電話番号を入力する０〜９の番号キー、この携帯電話のモードを設定するモード設定キー、通話要求を行なう通話要求キーおよび通話終了要求を行なう通話終了キーなどを含む。これらのキー入力部は、制御部１７０に接続され、制御部１７０は、これらキー入力部からの信号に基づいて、この携帯電話１００の全体を制御する。
【００４４】
図７を参照して、携帯電話１００で実行されるプログラムは、モード設定処理に関し、以下のような制御構造を有する。
【００４５】
ステップ（以下、ステップをＳと略す。）１００にて、制御部１７０は、キー入力部から通話要求が入力されたか否かを判断する。通話要求が入力されると（Ｓ１００にてＹＥＳ）、処理はＳ１０２に移される。一方、キー入力部から通話要求がないと（Ｓ１００にてＮＯ）、処理はＳ１００へ戻され、通話要求が入力されるまで待つ。
【００４６】
Ｓ１０２にて、制御部１７０は、キー入力部から記録要求があるか否かを判断する。キー入力部から記録要求があると（Ｓ１０２でＹＥＳ）、処理は、Ｓ１０４へ移され、この携帯電話１００の動作モードが音声記録モードに設定される。一方、キー入力部から記録要求が入力されないと（Ｓ１０２にてＮＯ）、処理はＳ１０６へ移される。
【００４７】
Ｓ１０６にて、制御部１７０は、キー入力部から再生要求が入力されたか否かを判断する。再生要求が入力されると（Ｓ１０６にてＹＥＳ）、処理はＳ１１０へ移される。一方、再生要求が入力されないと（Ｓ１０６にてＮＯ）、処理はＳ１０８へ移され、この携帯電話１００の動作モードが通常通話モードに設定される。
【００４８】
Ｓ１１０にて、制御部１７０は、再生要求された音声が記録音声であるか受信音声であるかを判断する。この判断は、キー入力部からの入力信号に基づいて行なわれる。キー入力部から再生要求されたのが記録音声である場合には（Ｓ１１０にて記録音声）、処理はＳ１１４へ移される。一方、キー入力部から再生要求されたのが受信音声である場合には（Ｓ１１０にて受信音声）、処理はＳ１１２へ移される。
【００４９】
Ｓ１１２にて、制御部１７０は、この携帯電話の動作モードをいたずら電話撃退モードに設定する。
【００５０】
Ｓ１１４にて、制御部１７０は、記録音声を再生するのか送信するのかを判断する。この判断は、キー入力部から入力された入力信号に基づいて行なわれる。記録音声を再生する場合には（Ｓ１１４にて再生）、処理はＳ１１８へ移される。一方、記録音声を送信する場合には（Ｓ１１４にて送信）、処理はＳ１１６へ移される。
【００５１】
Ｓ１１６にて、制御部１７０は、この携帯電話の動作モードを、録音内容送信モードに設定する。Ｓ１１８にて、制御部１７０は、この携帯電話１００の動作モードを録音内容聞取りモードに設定する。
【００５２】
Ｓ１２０にて、制御部１７０は、キー入力部から通話終了要求を受信したか否かを判断する。通話終了要求を受信すると、（Ｓ１２０にてＹＥＳ）、処理を終了する。一方、通話終了要求を受信しないと（Ｓ１２０にてＮＯ）、処理はＳ１０２へ戻され、再度動作モードを設定する。
【００５３】
図８を参照して、携帯電話１００で実行されるプログラムは、音声記録処理に関し、以下のような制御構造を有する。この音声記録処理は、図７のＳ１０４における音声記録モードにおける処理である。
【００５４】
Ｓ２００にて、制御部１７０は、音声記録モードを検出したか否かを判断する。この判断は、図７におけるモード設定処理の結果を検出することにより行なわれる。音声記録モードを検出すると（Ｓ２００でＹＥＳ）、処理はＳ２０２に移される。一方、音声記録モードを検出しないと（Ｓ２００にてＮＯ）、処理はＳ２００へ戻され、音声記録モードの検出を待つ。
【００５５】
Ｓ２０２にて、制御部１７０は、フレームカウンタＦＣを初期化（ＦＣ＝１）し、０番目のフレームの記録チャネルを初期化（ＣＨ（０）＝受信音声）する。
【００５６】
Ｓ２０４にて、制御部１７０は、送信音声検出部１９２に送信音声レベルを観測させる。このとき、図６に示すように符号化された音声データは、パラメータに音声パワーを含むため、この音声パワーを監視することにより、音声データを復号化することなく音声レベルを観測することができる。
【００５７】
Ｓ２０６にて、制御部１７０は、送信音声検出部１９２が送信音声を検出したか否かを判断する。送信音声検出部１９２が送信音声を検出すると（Ｓ２０６にてＹＥＳ）、処理はＳ２０８へ移される。一方、送信音声検出部１９２が送信音声を検出しないと（Ｓ２０６にてＮＯ）、処理はＳ２１０へ移される。
【００５８】
Ｓ２０８にて、制御部１７０は、ＦＣ番目のフレームの記録チャネルＣＨ（ＦＣ）を送信音声チャネルに設定する。Ｓ２１０にて、制御部１７０は、ＦＣ番目のフレームの記録チャネルＣＨ（ＦＣ）を受信音声チャネルに設定する。
【００５９】
Ｓ２１２にて、制御部１７０は、ＣＨ（ＦＣ）＝ＣＨ（ＦＣ−１）であるか否かを判断する。すなわち、１フレームカウンタ前のチャネルと、現在のチャネルとが一致しているかどうかを判断する。１フレームカウンタ前のチャネルと現在のチャネルとが一致している場合には（Ｓ２１２にてＹＥＳ）、処理はＳ２１６へ移される。一方、１フレームカウンタ前のチャネルと現在のチャネルとが一致していない場合には（Ｓ２１２にてＮＯ）、処理はＳ２１４へ移される。
【００６０】
Ｓ２１４にて、制御部１７０は、メモリ２００に記録境界ラベルを記録する。Ｓ２１６にて、制御部１７０は、記録チャネルＣＨ（ＦＣ）に対応する音声データ信号をメモリ２００に記憶させる。
【００６１】
Ｓ２２０にて、制御部１７０は、フレームカウンタＦＣについて、ＦＣ＝ＦＣ＋１の演算を行なう。Ｓ２２２にて、制御部１７０は、音声記録モードの解除を検出したか否かを判断する。この検出は、キー入力部からの入力信号に基づいて行なわれる。音声記録モードの解除を検出すると（Ｓ２２２にてＹＥＳ）、音声記録処理を終了する。一方、音声記録モードの解除を検出しないと（Ｓ２２２にてＮＯ）、処理はＳ２０４へ戻され、送信音声データ信号および受信音声データ信号のいずれか一方を、メモリ２００に記憶する。
【００６２】
図９を参照して、携帯電話１００で実行されるプログラムは、録音内容聞取り処理に関し、以下のような制御構造を有する。なお、録音内容聞取り処理は、図７に示すＳ１１８の録音内容聞取りモードにおける処理である。
【００６３】
Ｓ３００にて、制御部１７０は、録音内容聞取りモードを検出したか否かを判断する。この判断は、図７におけるモード設定処理の結果を検出することにより行なわれる。録音内容聞取りモードを検出すると（Ｓ３００にてＹＥＳ）、処理はＳ３００に移される。一方、録音内容聞取りモードを検出しないと（Ｓ３００にてＮＯ）、処理はＳ３００へ戻され、録音内容聞取りモードを検出するまで待つ。
【００６４】
Ｓ３０２にて、制御部１７０は、フレームカウンタＦＣを初期化（ＦＣ＝１）する。
【００６５】
Ｓ３０４にて、制御部１７０は、メモリ読出し部１８６に対して、ＦＣ番目のフレームから１フレーム分の音声データ信号をメモリ２００から読出すように指示する。
【００６６】
Ｓ３０６にて、制御部１７０は、ラベル検出部１８４が記録境界ラベルを検出したか否かを判断する。ラベル検出部１８４が記録境界ラベルを検出すると（Ｓ３０６にてＹＥＳ）、処理はＳ３０８へ移される。一方、ラベル検出部１８４が記録境界ラベルを検出しないと（Ｓ３０６にてＮＯ）、処理はＳ３１０へ移される。
【００６７】
Ｓ３０８にて、制御部１７０は、ラベル検出部１８４に対してスピーチデコーダ１２６へ初期化信号を送信して、フィルタ状態、出力バッファなどを初期化するように指示する。
【００６８】
Ｓ３１０にて、制御部１７０は、スピーチデコーダ１２６により、メモリ２００から読出した音声データ信号に対応する音声をスピーカから出力するように指示する。このとき、スピーチデコーダ１２６において音声データ信号が復号化され、Ｄ／Ａ変換部１２４においてデジタル信号からアナログ信号へ変換され、スピーカにおいて音声信号が音声に変換されスピーカから音声が出力される。
【００６９】
Ｓ３１２にて、制御部１７０は、フレームカウンタＦＣについて、ＦＣ＝ＦＣ＋１の演算を行なう。
【００７０】
Ｓ３１４にて、制御部１７０は録音内容聞取りモードの解除を検出したか否かを判断する。この判断は、キー入力部からの入力信号に基づいて行なわれる。録音内容の聞取りモードの解除を検出すると（Ｓ３１４にてＹＥＳ）、録音内容聞取り処理は終了する。一方、録音内容聞取りモードの解除を検出しないと（Ｓ３１４にてＮＯ）、処理はＳ３０４へ戻され、次のフレームについて音声データ信号をメモリから読出し、メモリ２００から読出した音声データ信号に対応する音声をスピーカ１２２から出力する。
【００７１】
上述した音声記録モードおよび録音内容聞取りモード以外の動作モードについて説明する。
【００７２】
図７に示すＳ１１６の録音内容送信モードにおける録音内容送信処理については、送信切換部１３０を状態Ｂに、再生切換部１８２を状態Ｃにする。メモリ２００に記録された記録音声データ信号を、再生切換部１８２および送信切換部１３０を介してＲＦ送信処理部１４０に送信することにより、通話相手に記録内容を送信することができる。
【００７３】
図７に示すＳ１１２のいたずら電話撃退モードにおけるいたずら電話撃退処理は、送信切換部１３０を状態Ｂに、再生切換部１８２を状態Ｂにする。ＲＦ受信処理部１５０を介して受信した受信音声データ信号を、再生切換部１８２および送信切換部１３０を介してＲＦ送信処理部１４０に送信することにより、他局に受信音声データ信号を送信することができる。
【００７４】
図７に示すＳ１０８の通常通話モードのおける通常通話処理については、一般的なデジタル方式の携帯電話と同様の処理であるため、ここでの詳細な説明は繰返さない。
【００７５】
以上のような構造およびフローチャートに基づく、携帯電話１００の動作について説明する。
【００７６】
［音声記録動作］
この携帯電話１００の使用者が通話要求を行ない（Ｓ１００にてＹＥＳ）、他局の通話相手と通話中に、キー入力部から記録要求を入力すると（Ｓ２００にてＹＥＳ）、フレームカウンタＦＣと０番目のフレームの記録チャネルＣＨ（０）とが初期化される（Ｓ２０２）。送信音声検出部１９２により、送信音声レベルが観測され（Ｓ２０４）、送信音声を検出すると（Ｓ２０６にてＹＥＳ）、ＦＣ番目のフレームの記録チャネルＣＨ（ＦＣ）を送信音声チャネルに設定する。
【００７７】
すなわち、この携帯電話１００の使用者が音声を発生すると、初期化された記録チャネル（受信音声に初期化）が送信チャネルに変更され、１つ前のフレームカウンタＣＨ（０）と現在のフレームカウンタのチャネルＣＨ（１）とが同じでないため（Ｓ２１２にてＮＯ）、記録境界ラベルがメモリ２００に記録される（Ｓ２１４）。記録チャネルＣＨ（ＦＣ）に対応する音声データ信号がメモリ２００に記憶される。フレームカウンタＦＣについて、ＦＣ＝ＦＣ＋１の演算が行なわれ（Ｓ２２０）、音声記録モードの解除が検出されないと（Ｓ２２２にてＮＯ）、さらに送信音声検出部１９２により送信音声レベルが観測され、送信音声を検出したか否かにより記録チャネルを切換える。
【００７８】
このようにして、この携帯電話１００の使用者が音声を発生していると、使用者の発生した音声に対応する音声データ信号がメモリ２００に記録され、使用者が音声を発生していないと受信した音声データ信号がメモリ２００に記録される。このとき、フレームカウンタが１つ前の記録チャネルと、現在のフレームカウンタの記録チャネルとを比較して、それらが異なる場合にはメモリ２００に記録境界ラベルを記録する。
【００７９】
［録音内容聞取り動作］
記録音声の再生要求をすると（Ｓ１１０にて記録音声、Ｓ１１４にて再生）、動作モードが録音内容聞取りモードに設定される（Ｓ１１８）。なお、録音内容聞取りモードは、図７に示すような通話中でもよいし、通話終了後であってもよい。以下、通話中における録音内容聞取り動作について説明する。
【００８０】
この携帯電話１００の使用者が、録音内容聞取りモードへの切換えをキー入力部から入力すると（Ｓ３００にてＹＥＳ）、フレームカウンタＦＣが初期化される（Ｓ３０２）。ＦＣ番目のフレームから１フレーム分の音声データ信号がメモリ読出し部１８６を介して読出され（Ｓ３０４）、ラベル検出部１８４が記録境界ラベルを検出すると（Ｓ３０６にてＹＥＳ）、ラベル検出部１８４がスピーチデコーダ１２６に初期化信号を送信する。この初期化信号により、スピーチデコーダ１２６に記憶されたフィルタ状態、出力バッファが初期化される。メモリ２００から読出された記録音声データ信号はスピーチデコーダ１２６により復号化され、Ｄ／Ａ変換器１２４によりアナログ変換され、スピーカ１２２により音声に変換されて出力される（Ｓ３１０）。
【００８１】
フレームカウンタＦＣについて、ＦＣ＝ＦＣ＋１の演算が行なわれ（Ｓ３１２）、さらに録音内容の聞取りを行なう場合には（Ｓ３１４にてＮＯ）、次のフレームカウンタに基づいて所定のフレームから１フレーム分の音声データ信号をメモリ２００から読出す。
【００８２】
このようにして、メモリ２００から読出した音声データ信号に記録境界ラベルの有無により、スピーチデコーダ１２６への初期化信号の送信を制御する。これを繰返すことにより録音内容の聞取り動作が行なわれる。
【００８３】
以上のようにして、本実施の形態に係る携帯電話は、通話相手と通話中に、マイクから入力された送信音声データ信号を検出して、送信音声データ信号および受信音声データ信号のいずれか一方をメモリに記録する。これにより、メモリには、通話中の送信音声データおよび受信音声データのいずれか一方のみが記録されることになり、１チャネル分のメモリで会話を録音することができる。その結果、記録チャネルは１チャネルでよいため、回路規模が小さく、消費電力の少ない、再生時に会話内容を把握できる音声データ信号を記録することができる電話装置を提供できる。
【００８４】
＜実施の形態２＞
以下、本発明の実施の形態２について説明する。なお、本実施の形態に係る携帯電話は、前述の実施の形態１における制御部が異なるのみであり、その他のハードウェア構造およびフローチャートについては同じであるため、ここでの詳細な説明は繰返さない。
【００８５】
図１０を参照して、本実施の形態に係る携帯電話は、実施の形態１に係る携帯電話とは別体の制御部２７０を含む。制御部２７０は、ＲＦ受信処理部１５０とメモリ読出し部２８６とに接続され、記録音声検出部２８８からの再生切換信号に基づいて、受信音声データ信号および記録音声データ信号のいずれか一方をスピーチデコーダ１２６に送信する再生切換部２８２と、音声データ信号を記憶したメモリ３００と、メモリ読出し部２８６に接続され、メモリ３００に記録された音声を検出する記録音声検出部２８８とを含む。
【００８６】
記録音声検出部２８８は、メモリ読出し部２８６を介してメモリ３００から読出した音声データ信号に記録音声を検出すると、再生切換部２８２に再生切換信号を送信するとともに、スピーチデコーダ１２６に初期化信号を送信する。
【００８７】
再生切換部２８２は、記録音声検出部２８８から再生切換信号を受信すると、受信音声データ信号よりも記録音声データ信号を優先させてスピーチデコーダ１２６に音声データ信号を送信する。
【００８８】
図１１を参照して、本実施の形態に係る携帯電話１００で実行されるプログラムは、録音内容聞取り処理に関し、以下のような制御構造を有する。なお、以下の説明では、メモリ３００に記録された音声データ信号は、図６に示すＹチャネルの音声データ信号のみであるとして説明する。
【００８９】
Ｓ４００にて、制御部２７０は、通話中に録音内容聞取りモードを検出したか否かを判断する。この判断は、入力キーボタンから録音内容聞取りモードへの変更が入力されたか否かにより行なわれる。
【００９０】
Ｓ４０２にて、制御部２７０は、フレームカウンタＦＣを初期化（ＦＣ＝１）する。Ｓ４０４にて、制御部２７０は、フレームカウンタがＦＣ番目のフレームから１フレーム分の音声データ信号を、メモリ読出し部２８６にメモリ３００から読出すように指示する。Ｓ４０６にて、制御部２７０は、Ｓ４０４にて読出した音声データ信号の中の記録音声レベルを、記録音声検出部２８８に観測させる。実施の形態１と同様、記録音声検出部２８８は、メモリ３００に記録されたＹチャネルの音声データ信号のパラメータに含まれる音声パワーを観測することにより、復号化することなく記録音声レベルを観測することができる。
【００９１】
Ｓ４０８にて、制御部２７０は、記録音声検出部２８８がメモリ３００に記録された記録音声を検出すると（Ｓ４０８にてＹＥＳ）、処理はＳ４１０へ移される。一方、記録音声検出部２８８が記録音声を検出しないと（Ｓ４０８にてＮＯ）、処理はＳ４１２へ移される。
【００９２】
Ｓ４１０にて、制御部２７０は、フレームカウンタがＦＣ番目のフレームの再生チャネルＣＨ（ＦＣ）を記録音声チャネルに設定する。Ｓ４１２にて、制御部２７０は、フレームカウンタがＦＣ番目のフレームの再生チャネルＣＨ（ＦＣ）を受信音声チャネルに設定する。
【００９３】
Ｓ４１４にて、制御部２７０は、ＣＨ（ＦＣ）＝ＣＨ（ＦＣ−１）であるか否かを判断する。現在のフレームカウンタの再生チャネルがフレームカウンタが１つ前の再生チャネルと同じである場合には（Ｓ４１４にてＹＥＳ）、処理はＳ４１８へ移される。一方、現在のフレームカウンタの再生チャネルと１つ前のフレームカウンタの再生チャネルとが同じでない場合には（Ｓ４１４にてＮＯ）、処理はＳ４１６へ移される。
【００９４】
Ｓ４１６にて、制御部２７０は、記録音声検出部２８８に対してスピーチデコーダ１２６に初期化信号を送信するように指示する。スピーチデコーダ１２６に送信された初期化信号により、スピーチデコーダ１２０に記憶されたフィルタ状態、出力バッファが初期化される。
【００９５】
Ｓ４１８にて、制御部２７０は、スピーチデコーダ１２６によりメモリ３００から読出した記録音声データ信号または受信した受信音声データ信号に対応する音声をスピーカ１２２から出力させる。Ｓ４２２にて、制御部２７０は、フレームカウンタＦＣについて、ＦＣ＝ＦＣ＋１の演算を行なう。Ｓ４２４にて、制御部２７０は、録音内容聞取りモードの解除を検出したか否かを判断する。この判断は、入力キーボタンから録音内容聞取りモードを解除する要求キーが入力されたか否かにより行なわれる。録音内容聞取りモードの解除を検出すると（Ｓ４２４にてＹＥＳ）、録音内容聞取り処理を終了する。一方、録音内容聞取りモードの解除を検出しないと（Ｓ４２４にてＮＯ）、処理はＳ４０４へ戻され、次のフレームカウンタについて１フレーム分の音声データ信号をメモリ３００から読出し、記録された音声データ信号を検出するとそのフレームの再生チャネルを記録音声チャネルに、記録音声を検出しないとそのフレームの再生チャネルを受信音声チャネルに設定する。
【００９６】
このようにして、メモリ３００に記録された記録音声データ信号および受信した受信音声データ信号のいずれか一方がスピーカから出力される。
【００９７】
以上のような構造およびフローチャートに基づく、携帯電話の動作について説明する。
【００９８】
この携帯電話の使用者が通話中に録音内容聞取りモードへの変更を要求すると（Ｓ４００にてＹＥＳ）、フレームカウンタＦＣが初期化される（Ｓ４０２）。フレームカウンタがＦＣ番目のフレームから１フレーム分の音声データ信号がメモリ３００からメモリ読出し部２８６を介して読出される。記録音声検出部２８８がメモリ３００から読出した音声データ信号に記録音声を検出すると（Ｓ４０８にてＹＥＳ）、再生チャネルを記録音声チャネルに設定する（Ｓ４１０）。現在のフレームカウンタにおける再生チャネルと１つ前のフレームカウンタにおける再生チャネルとが同じである場合には（Ｓ４１４にてＹＥＳ）、記録音声検出部２８８からスピーチデコーダ１２６への初期化信号は送信されず、スピーチデコーダ１２６によりメモリから読出された記録音声データ信号に対応する音声がスピーカ１２２から出力される（Ｓ４１８）。一方、メモリ３００からメモリ読出し部２８６を介して読出した記録音声データ信号に記録音声を検出しない場合には（Ｓ４０８にてＮＯ）、再生チャネルが受信音声チャネルに設定される（Ｓ４１２）。現在のフレームカウンタの再生チャネルと１つ前のフレームカウンタの再生チャネルとが異なる場合には（Ｓ４１４にてＹＥＳ）、スピーチデコーダ１２６へ初期化信号が送信されフィルタ状態、出力バッファが初期化される（Ｓ４１６）。
【００９９】
すなわち、メモリ３００から読出した記録音声データ信号に音声データを検出している状態から音声データを検出しない状態になると（図６におけるＹチャネルが立下がると）、対応するチャネルの再生チャネルが受信音声チャネルに変更されるとともに、スピーチデコーダ１２６に初期化信号が送信される。その結果、スピーカ１２２では、記録音声データ信号に基づく音声が出力されている状態から受信した受信音声データ信号に基づく音声が出力される状態に変更される。
【０１００】
以上のようにして本実施の形態に係る携帯電話は、通話相手から受信した音声データ信号およびメモリに記憶された音声データ信号のいずれか一方を選択してスピーカから音声を出力させることができる。このため、圧縮符号化された音声データ信号を復号化するスピーチデコーダが１チャネル分でよく、回路規模が小さく、消費電力の少ない、記録した音声データ信号を通話中に再生することができる電話装置を提供できる。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態１に係る電話装置の制御ブロック図である。
【図２】  図１に示す記録制御部および再生制御部の制御ブロック図である。
【図３】  本発明の実施の形態１に係る送信切換部の動作モードを示す図である。
【図４】  本発明の実施の形態１に係る再生切換部の動作モードを示す図である。
【図５】  本発明の実施の形態１に係る記録切換部の動作モードを示す図である。
【図６】  音声データ信号の記録状態を模式的に示す図である。
【図７】  本発明の実施の形態１に係るモード設定処理の制御の手順を示すフローチャートである。
【図８】  本発明の実施の形態１に係る音声記録処理の制御の手順を示すフローチャートである。
【図９】  本発明の実施の形態１に係る録音内容聞取り処理の制御の手順を示すフローチャートである。
【図１０】  本発明の実施の形態２に係る再生制御部の制御ブロック図である。
【図１１】  本発明の実施の形態２に係る録音内容聞取り処理の制御の手順を示すフローチャートである。
【符号の説明】
１００  携帯電話、１１０  送信音声処理部、１２０  受信音声処理部、１３０  送信切換部、１４０  ＲＦ送信処理部、１５０  ＲＦ受信処理部、１６０  アンテナ、１７０  制御部、１８０、２８０  再生制御部、１９０  記録制御部、２００、３００  メモリ。
【図１】
0003811605.tif 000002
【図２】
0003811605.tif 000003
【図３】
0003811605.tif 000004
【図４】
0003811605.tif 000005
【図５】
0003811605.tif 000006
【図６】
0003811605.tif 000007
【図７】
0003811605.tif 000008
【図８】
0003811605.tif 000009
【図９】
0003811605.tif 000010
【図１０】
0003811605.tif 000011
【図１１】
0003811605.tif 000012